(57)【要約】【課題】電子キーの置き忘れを防止することを可能にしたドア錠制御システムを提供すること。【解決手段】ユーザが電子キー４を持って人検知エリアＥ２に進入すると、人検知センサ１５によってユーザが検知される。その後、ユーザがドア２に近付く過程でスマート通信エリアＥ１に進入すると、スマート認証部によって電子キー４が検知される。その後、ユーザが室内側からサムターンでドア錠を解錠すると、施解錠センサによってドア錠の解錠状態が検知される。このとき、外出判定部によって外出時であると判定されることになる。その後、ユーザが実際にドア２を開けると、開閉センサによってドア２の開状態が検知される。そして、ユーザがドア２を開けたタイミングで、告知部から「鍵はお持ちですか？」といった音声出力がなされる。これにより、外出しようとしているユーザに対し、電子キー４の持ち出しが促される。【選択図】図４
2017031556.tif 000002
【特許請求の範囲】
【請求項１】
電子キーによってドア錠を作動可能なドア錠制御システムにおいて、
外出時であるか否かを判定する外出判定手段と、
前記外出判定手段によって外出時であると判定されたとき、前記電子キーの持ち出しを促すキー持ち出し促進手段とを備える
ことを特徴とするドア錠制御システム。
【請求項２】
前記電子キーを検知するキー検知手段を備え、
前記キー持ち出し促進手段は、前記キー検知手段によって前記電子キーが検知されている状態で、前記外出判定手段によって外出時であると判定されたとき、前記電子キーの持ち出しを促す
請求項１に記載のドア錠制御システム。
【請求項３】
前記ドア錠の施解錠状態を検知する施解錠センサと、室内側の人を検知する人検知センサとを備え、
前記外出判定手段は、前記施解錠センサによって前記ドア錠の施錠状態が検知され、且つ、前記人検知センサによって人が検知されない初期状態から、前記人検知センサによって人が検知された後、前記施解錠センサによって前記ドア錠の解錠状態が検知されたとき、外出時であると判定する
請求項１又は２に記載のドア錠制御システム。
【請求項４】
前記ドア錠の施解錠状態を検知する施解錠センサと、前記電子キーを検知するキー検知手段と、室内側の人を検知する人検知センサとを備え、
前記外出判定手段は、前記施解錠センサによって前記ドア錠の施錠状態が検知され、且つ、前記キー検知手段によって前記電子キーが検知されず、且つ、前記人検知センサによって人が検知されない初期状態から、前記人検知センサによって人が検知され、且つ、前記キー検知手段によって前記電子キーが検知された後、前記施解錠センサによって前記ドア錠の解錠状態が検知されたとき、外出時であると判定する
請求項１〜３のいずれか一項に記載のドア錠制御システム。
【請求項５】
前記キー持ち出し促進手段は、前記外出判定手段によって外出時であると判定されたとき、ドアが開けられたことを契機に、前記電子キーの持ち出しを促す
請求項１〜４のいずれか一項に記載のドア錠制御システム。
【発明の詳細な説明】
【技術分野】
【０００１】
本発明は、電子キーによってドア錠を作動可能なドア錠制御システムに関する。
【背景技術】
【０００２】
従来、建物のドアに設けられたドア錠を電子キーによって作動可能なドア錠制御システムが提案されている（例えば、特許文献１を参照）。
ドア錠制御システムは、ドアの屋外側にドア錠操作部を有し、そのドア錠操作部の操作を契機として、ドアの周辺に呼び掛け信号を送信する。呼び掛け信号によるスマート通信エリア内に電子キーが存在するとき、電子キーから呼び掛け信号に対する応答信号が送信される。この応答信号をドアのコントローラによって解析し、その解析において電子キーＩＤが照合一致すると、スマート照合が成立する。ドア錠の施錠時にスマート照合が成立すると、ドア錠が解錠される。
【０００３】
また、ドア錠制御システムは、スマート照合の成立後も引き続きスマート通信を行い、一定時間継続してスマート照合が成立した場合には、電子キーが置き忘れ状態であると判断し、以降のドア錠操作部の操作による解錠を禁止する機能、及び置き忘れの旨を事後に告知する機能を有する。
【先行技術文献】
【特許文献】
【０００４】
【特許文献１】特開２００７−１６２３１０号公報
【発明の概要】
【発明が解決しようとする課題】
【０００５】
室内に電子キーを置いたまま屋外に出ると、オートロック機能が作動した場合に締め出される可能性がある。
本発明は、このような問題点に着目してなされたものであって、その目的は、電子キーの置き忘れを防止することを可能にしたドア錠制御システムを提供することにある。
【課題を解決するための手段】
【０００６】
上記課題を解決するドア錠制御システムは、電子キーによってドア錠を作動可能なドア錠制御システムにおいて、外出時であるか否かを判定する外出判定手段と、前記外出判定手段によって外出時であると判定されたとき、前記電子キーの持ち出しを促すキー持ち出し促進手段とを備えることをその要旨としている。
【０００７】
この構成によれば、電子キーを持ち出さないまま外出することが防止される。したがって、電子キーの置き忘れを防止することができる。
上記ドア錠制御システムについて、前記電子キーを検知するキー検知手段を備え、前記キー持ち出し促進手段は、前記キー検知手段によって前記電子キーが検知されている状態で、前記外出判定手段によって外出時であると判定されたとき、前記電子キーの持ち出しを促すこととしてもよい。
【０００８】
この構成によれば、キー検知手段によって電子キーが検知されている限り、電子キーを置いたまま外出しようとしているユーザの他、電子キーを持って外出しようとしているユーザに対しても、電子キーの持ち出しが促されることになる。したがって、電子キーの置き忘れを確実に防止できる。
【０００９】
上記ドア錠制御システムについて、前記ドア錠の施解錠状態を検知する施解錠センサと、室内側の人を検知する人検知センサとを備え、前記外出判定手段は、前記施解錠センサによって前記ドア錠の施錠状態が検知され、且つ、前記人検知センサによって人が検知されない初期状態から、前記人検知センサによって人が検知された後、前記施解錠センサによって前記ドア錠の解錠状態が検知されたとき、外出時であると判定することとしてもよい。
【００１０】
この構成によれば、室内側の人の動きを把握しつつ、外出時であるか否かを正確に判定することができる。
上記ドア錠制御システムについて、前記ドア錠の施解錠状態を検知する施解錠センサと、前記電子キーを検知するキー検知手段と、室内側の人を検知する人検知センサとを備え、前記外出判定手段は、前記施解錠センサによって前記ドア錠の施錠状態が検知され、且つ、前記キー検知手段によって前記電子キーが検知されず、且つ、前記人検知センサによって人が検知されない初期状態から、前記人検知センサによって人が検知され、且つ、前記キー検知手段によって前記電子キーが検知された後、前記施解錠センサによって前記ドア錠の解錠状態が検知されたとき、外出時であると判定することとしてもよい。
【００１１】
この構成によれば、電子キーを持って外出しようとしている人の動きを把握しつつ、外出時であるか否かを正確に判定することができる。
上記ドア錠制御システムについて、前記キー持ち出し促進手段は、前記外出判定手段によって外出時であると判定されたとき、ドアが開けられたことを契機に、前記電子キーの持ち出しを促すこととしてもよい。
【００１２】
この構成によれば、外出時の電子キーの持ち出しをタイミングよく促すことができる。
【発明の効果】
【００１３】
本発明によれば、電子キーの置き忘れを防止することができる。
【図面の簡単な説明】
【００１４】
【図１】ドア錠制御システムの構成図。
【図２】スマート通信の概要図。
【図３】（ａ）はドア解錠操作時に室内側に人がいない場合の概要図、（ｂ）はドア解錠操作時に室内側に人がいる場合の概要図。
【図４】外出時に電子キーの持ち出しを促す例を示す概要図。
【発明を実施するための形態】
【００１５】
以下、ドア錠制御システムの一実施の形態について説明する。
図１に示すように、建物１は、ドア２に設けられたドア錠３を電子キー４によって無線により作動可能なドア錠制御システム５を備える。ドア錠制御システム５は、建物１側からの通信を契機に狭域無線（通信距離：数ｍ）によってＩＤ照合を実行してドア錠３を制御するキー操作フリーシステムである。ドア錠制御システム５は、ドア錠３の施錠及び解錠の両方を制御するものである。なお、以降は、キー操作フリーシステムによるドア錠３の操作を「スマート操作」と記す。また、キー操作フリーシステムの通信を「スマート通信」と記し、その通信で実行されるＩＤ照合を「スマート照合」と記す。
【００１６】
スマート通信では、建物１→電子キー４の通信にＬＦ（Low Frequency ）帯の電波が使用され、電子キー４→建物１の通信にＵＨＦ（Ultra High Frequency）帯の電波が使用される。スマート操作は、電子キー４を実際に操作しなくても、スマート照合が成立すれば、ドア錠３の作動が許可又は実行される操作である。なお、本例の場合は、ドア２に設けられたドア錠操作部６の操作がトリガとなって、ドア錠３の施解錠が切り替えられる。ドア錠操作部６は、押圧スイッチであることが好ましく、操作される度にドア錠３の施解錠が交互に切り替わるものであるとよい。
【００１７】
電子キー４は、電子キー４の動作を制御するキー制御部７と、電子キー４において電波を受信する受信アンテナ８と、電子キー４において電波を送信する送信アンテナ９とを備える。キー制御部７のメモリ１０には、電子キー４の固有ＩＤである電子キーＩＤが書き込み保存されている。受信アンテナ８は、ＬＦ電波を受信する。送信アンテナ９は、ＵＨＦ電波を送信する。
【００１８】
ドア錠制御システム５は、ドア錠制御システム５の作動を制御するコントローラ１１と、ドア２の周囲に電波を送信する送信アンテナ１２と、ドア２の周囲で電波を受信する受信アンテナ１３とを備える。コントローラ１１のメモリ１４には、ドア２に登録された電子キー４のＩＤ（電子キーＩＤ）が書き込み保存されている。送信アンテナ１２は、ＬＦ電波を送信する。受信アンテナ１３は、ＵＨＦ電波を受信する。送信アンテナ１２及び受信アンテナ１３は、ドア２或いは建物１の壁等に配設される。ドア錠３は、アクチュエータを駆動源にデッドボルトを壁側の凹部に出し入れする電気錠からなる。コントローラ１１は、基板上にＩＣや各種素子が実装された制御盤である。
【００１９】
ドア錠制御システム５は、室内側の人を検知する人検知センサ１５を備える。人検知センサ１５は、例えば温度センサからなり、ドア２の上部室内側に設置される。人検知センサ１５は、人を検知したとき、Ｈレベルの検知信号をコントローラ１１に出力し、人を検知しないとき、Ｌレベルの検知信号をコントローラ１１に出力する。
【００２０】
ドア錠制御システム５は、ドア錠３の施解錠状態を検知する施解錠センサ１６を備える。施解錠センサ１６は、ドア錠３の解錠状態を検知したとき、Ｈレベルの検知信号をコントローラ１１に出力し、ドア錠３の施錠状態を検知したとき、Ｌレベルの検知信号をコントローラ１１に出力する。
【００２１】
ドア錠制御システム５は、ドア２の開閉状態を検知する開閉センサ１７を備える。開閉センサ１７は、ドア２の開状態を検知したとき、Ｈレベルの検知信号をコントローラ１１に出力し、ドア２の閉状態を検知したとき、Ｌレベルの検知信号をコントローラ１１に出力する。
【００２２】
ドア錠制御システム５は、ドア２側からの通信を契機にスマート照合を行うスマート認証部１８と、ドア錠３の作動を制御する錠制御部１９とを備える。スマート認証部１８及び錠制御部１９は、ドア２のコントローラ１１に設けられる。スマート認証部１８は、定期的（ある一定の繰り返し周期）、又はトリガ入力（一例はドア錠操作部６の操作）を条件に、スマート通信を実行し、スマート照合が成立するか否かを確認する。錠制御部１９は、スマート認証部１８の認証結果に基づき、ドア錠３の施解錠を切り替える。
【００２３】
図２に示すように、送信アンテナ１２によるスマート通信のエリア（スマート通信エリアＥ１）は、ドア２を中心としたドア周囲一帯に形成される。このように、本例のスマート通信エリアＥ１は、建物１の室内外に亘って一帯に形成される。なお、受信アンテナ１３は、遠くまで届くＵＨＦ電波を受信するものであるので、ドア２付近であれば、どこに配置されてもよい。
【００２４】
電子キー４が送信アンテナ１２のスマート通信エリアＥ１に進入すると、スマート認証部１８は、スマート通信を実行する。具体的には、送信アンテナ１２から送信されたウェイク信号を電子キー４が受信すると、電子キー４が起動してアックをＵＨＦ電波により返信し、続く通信過程において、ドアＩＤ照合、チャレンジレスポンス認証、電子キーＩＤ照合の各種照合を実行する。ドアＩＤ照合は、各ドア２の固有ＩＤであるドアＩＤ（図示略）を電子キー４に送信し、電子キー４にドアＩＤを確認させる照合である。チャレンジレスポンス認証は、送信の度にコードが毎回変わるチャレンジコードをドア２から電子キー４に送信して電子キー４の暗号鍵に通し、このレスポンスコードをドア２に返信させ、ドア２において同様に演算したレスポンスコードにより、電子キー４のレスポンスコードの正当性を確認する照合である。電子キーＩＤ照合は、電子キー４に登録された電子キーＩＤの正当性をドア２で確認する照合である。スマート認証部１８は、これら照合が全て成立することを確認すると、スマート照合を成立とする。スマート認証部１８は、電子キー４を検知するキー検知手段に相当する。
【００２５】
図３（ａ），（ｂ）に示すように、錠制御部１９は、スマート認証部１８によるスマート照合の照合結果と、人検知センサ１５の検知結果とに基づき、ドア錠３の作動を制御する。例えば、図３（ａ）に示すように、ユーザが屋外側からドア錠操作部６を操作したとき、室内側の人検知センサ１５が人を検知していなければ、ドア錠制御システム５が有効となる。よって、人検知エリアＥ２に人がいなければ、屋外側からドア錠操作部６を操作することでドア錠３の施解錠切り替えが可能となる。一方、図３（ｂ）に示すように、ユーザが屋外側からドア錠操作部６を操作したとき、室内側の人検知センサ１５が人を検知していれば、ドア錠制御システム５が無効になる。よって、人検知エリアＥ２に人がいれば、屋外側からドア錠操作部６を操作してもドア錠３の施解錠を切り替えることができない。
【００２６】
図１に戻り、ドア錠制御システム５は、外出時であるか否かを判定する外出判定部２０を備える。外出判定部２０は、ドア２のコントローラ１１に設けられる。外出判定部２０は、人検知センサ１５による人の検知結果と、スマート認証部１８による電子キー４の検知結果と、施解錠センサ１６による施解錠状態の検知結果とに基づいて、室内側の人の動きを把握しつつ、外出時であるか否かを判定する。外出判定部２０は外出判定手段に相当する。
【００２７】
ドア錠制御システム５は、電子キー４の持ち出しを促す告知制御部２１を備える。告知制御部２１は、ドア２のコントローラ１１に設けられる。告知制御部２１は、外出判定部２０によって外出時であると判定されたとき、ドア２が開けられたことを契機に、告知部２２を通じて音声出力により電子キー４の持ち出しを促す。告知制御部２１及び告知部２２はキー持ち出し促進手段に相当する。
【００２８】
次に、ドア錠制御システム５の作用について説明する。ここでは、初期状態として、開閉センサ１７によってドア２の閉状態が検知され、且つ、施解錠センサ１６によってドア錠３の施錠状態が検知され、且つ、スマート認証部１８によって電子キー４が検知されず、且つ、人検知センサ１５によって人が検知されない状態にあるとする。
【００２９】
図４に示すように、ユーザが電子キー４を持って人検知エリアＥ２に進入すると、人検知センサ１５によってユーザが検知される。その後、ユーザがドア２に近付く過程でスマート通信エリアＥ１に進入すると、スマート認証部１８によって電子キー４が検知される。その後、ユーザが室内側からサムターンでドア錠３を解錠すると、施解錠センサ１６によってドア錠３の解錠状態が検知される。このとき、外出判定部２０によって外出時であると判定されることになる。
【００３０】
その後、ユーザが実際にドア２を開けると、開閉センサ１７によってドア２の開状態が検知される。そして、ユーザがドア２を開けたタイミングで、告知部２２から「鍵はお持ちですか？」といった音声出力がなされる。これにより、外出しようとしているユーザに対し、電子キー４の持ち出しが促される。
【００３１】
以上説明したように、本実施の形態によれば、以下の効果を奏することができる。
（１）外出判定部２０によって外出時であると判定されたとき、告知制御部２１による制御のもと告知部２２から「鍵はお持ちですか？」といった音声出力がなされ、これにより、外出しようとしているユーザに対し、電子キー４の持ち出しが促される。この構成によれば、電子キー４を持ち出さないまま外出することが防止される。したがって、電子キー４の置き忘れを防止することができる。
【００３２】
（２）スマート認証部１８によって電子キー４が検知されている状態で、外出判定部２０によって外出時であると判定されたとき、電子キー４の持ち出しが促される。この構成によれば、スマート認証部１８によって電子キー４が検知されている限り、電子キー４を置いたまま外出しようとしているユーザの他、電子キー４を持って外出しようとしているユーザに対しても、電子キー４の持ち出しが促されることになる。したがって、電子キー４の置き忘れを確実に防止できる。
【００３３】
（３）外出判定部２０は、初期状態から、人検知センサ１５によって室内側の人が検知され、且つ、スマート認証部１８によって電子キー４が検知された後、施解錠センサ１６によってドア錠３の解錠状態が検知されたとき、外出時であると判定する。この構成によれば、電子キー４を持って外出しようとしている人の動きを把握しつつ、外出時であるか否かを正確に判定することができる。
【００３４】
（４）告知制御部２１による制御のもと告知部２２は、外出判定部２０によって外出時であると判定されたとき、ドア２が開けられたことを契機に、電子キー４の持ち出しを促す。この構成によれば、外出時の電子キー４の持ち出しをタイミングよく促すことができる。
【００３５】
（５）ドア閉に伴い自動で施錠を行うオートロック機能を有するドア錠制御システム５では、ユーザが締め出されるのを防止できるとともに、オートロック機能が無い場合であっても、置き忘れ防止には有効である。
【００３６】
尚、上記実施の形態は、次のように変更して具体化することも可能である。
・外出判定部２０による外出判定から電子キー４の検知の要件を割愛してもよい。すなわち、外出判定部２０は、初期状態から、人検知センサ１５によって室内側の人が検知された後、施解錠センサ１６によってドア錠３の解錠状態が検知されたとき、外出時であると判定してもよい。この構成によっても、室内側の人の動きを把握しつつ、外出時であるか否かを正確に判定することができる。
【００３７】
・実際にドア２が開けられたことを契機に、告知部２２から音声出力するにあたり、開閉センサ１７による検知結果を受けて告知制御部２１がドア２の開閉状態を判断する構成に代えて、外出判定部２０がドア２の開閉状態を判断する構成を採用してもよい。この場合、外出判定部２０による外出判定にドア２の開閉状態の検知の要件が追加される。すなわち、外出判定部２０は、初期状態から、人検知センサ１５によって室内側の人が検知され、且つ、スマート認証部１８によって電子キー４が検知された後、施解錠センサ１６によってドア錠３の解錠状態が検知され、さらにその後、開閉センサ１７によってドア２の開状態が検知されたとき、外出時であると判定する。そして、告知制御部２１は、外出判定部２０によって外出時であると判定されたとき、告知制御部２１自らがドア２の開閉状態を判断することなく、告知部２２から音声出力をする。
【００３８】
・外出判定部２０による外出判定について、人検知センサ１５による人の検知とスマート認証部１８による電子キー４の検知の順序は問われない。どちらかが先でも或いは同時であっても、初期状態から、ユーザがドア２に向かっていることを把握できることになる。
【００３９】
・外出時のドア錠３が解錠されたタイミング（実際にドア２が開く前）で電子キー４の持ち出しを促してもよい。
・電子キー４の持ち出しをより確実に促進する観点から告知部２２は音声出力するものであることが望ましいが、音声出力するものに代えて又は加えて、表示或いは振動による告知を行うものを採用してもよい。
【符号の説明】
【００４０】
１…建物、２…ドア、３…ドア錠、４…電子キー、５…ドア錠制御システム、６…ドア錠操作部、７…キー制御部、８…受信アンテナ、９…送信アンテナ、１０…メモリ、１１…コントローラ、１２…送信アンテナ、１３…受信アンテナ、１４…メモリ、１５…人検知センサ、１６…施解錠センサ、１７…開閉センサ、１８…スマート認証部（キー検知手段）、１９…錠制御部、２０…外出判定部（外出判定手段）、２１…告知制御部（キー持ち出し促進手段）、２２…告知部（キー持ち出し促進手段）。
【図１】
2017031556.tif 000003
【図２】
2017031556.tif 000004
【図３】
2017031556.tif 000005
【図４】
2017031556.tif 000006